(57)【要約】【課題】効率的にゲル内の染色剤を処理することができる染色剤処理装置を提供することを課題とする。【解決手段】  染色剤により染色された板状のゲル内の染色剤を処理する装置であって、ゲルＧ及びバッファ液Ｗを収容するバッファ容器１１、及びゲルＧの一方面側及び他方面側に設置されてゲルＧの厚さ方向に電圧を印加する電極１４，１５、を有する第１の処理ユニット１と、第１の処理ユニット１の下流に設置され、第１の処理ユニット１から供給されたバッファ液Ｗ中の染色剤を吸着する活性炭２５を有する第２の処理ユニット２と、を備えている。【選択図】図１
2010019722.tif 000002
【特許請求の範囲】
【請求項１】
染色剤により染色された板状のゲル内の染色剤を処理する装置であって、
ゲル及びバッファ液を収容するバッファ容器、及びゲルの一方面側及び他方面側に設置されてゲルの厚さ方向に電圧を印加する電極、を有する第１の処理ユニットと、
前記第１の処理ユニットの下流に設置され、前記第１の処理ユニットから供給されたバッファ液中の染色剤を吸着する活性炭を有する第２の処理ユニットと、
を備えている、染色剤処理装置。
【請求項２】
前記第２の処理ユニットの下流に設置され、前記第２の処理ユニットから供給されたバッファ液を貯留する貯留容器と、前記貯留容器内のバッファ液に紫外線を照射する紫外線照射装置と、を有する第３の処理ユニットをさらに備えた、請求項１に記載の染色剤処理装置。
【請求項３】
前記第３の処理ユニットは、前記貯留容器内のバッファ液を再度前記第２の処理ユニットの吸着容器内へと供給する循環手段をさらに有する、請求項２に記載の染色剤処理装置。
【請求項４】
前記第２の処理ユニットは、底面に排出口が形成された吸着容器をさらに有しており、前記活性炭が前記排出口を覆うように前記吸着容器内に収容されている、請求項１〜３のいずれかに記載の染色剤処理装置。
【請求項５】
前記第２の処理ユニットは、前記容器内に供給されたバッファ液を攪拌するための攪拌器をさらに有する、請求項４に記載の染色剤処理装置。
【請求項６】
前記第２の処理ユニットは、筒状の吸着部材をさらに有しており、前記活性炭が前記吸着部材の内部に充填されている、請求項１〜３のいずれかに記載の染色剤処理装置。
【請求項７】
前記第１の処理ユニットは、前記バッファ容器内に設置されるとともにゲルを支持する支持部材をさらに有しており、
前記支持部材の少なくとも一部は、前記バッファ容器外まで延びている、請求項１〜６のいずれかに記載の染色剤処理装置。
【請求項８】
染色剤により染色された板状のゲル内の染色剤を処理する方法であって、
ゲルをバッファ液に浸漬させてゲルの厚さ方向に電圧を印加する工程と、
前記電圧の印加によりゲル内から排出された染色剤を含むバッファ液を活性炭に接触させて前記活性炭に染色剤を吸着させる工程と、を含む染色剤処理方法。
【請求項９】
前記活性炭と接触させて染色剤が吸着されたバッファ液に紫外線を照射してバッファ液中の染色剤を検出する工程をさらに含む、請求項８に記載の染色剤処理方法。
【請求項１０】
前記染色剤を検出する工程により染色剤が検出された場合に、再度バッファ液を活性炭に接触させて活性炭に染色剤を吸着させる工程をさらに含む、請求項９に記載の染色剤処理方法。
【発明の詳細な説明】
【技術分野】
【０００１】
本発明は、染色剤処理装置及び染色剤処理方法に関するものである。
【背景技術】
【０００２】
核酸などを分析する方法として、アガロースゲルを使用したゲル電気泳動が広く知られている。このアガロースゲル電気泳動による核酸の分析方法は、試料を注入するための穴が端部に複数形成された板状のアガロースゲルを作成し、この穴に試料を注入してゲルの両端部に電圧を所定時間印加する。そして、このゲルをエチジウムブロマイドに浸漬させることで核酸を染色した後、紫外線を照射して核酸の泳動距離を確認する（例えば特許文献１参照）。
【特許文献１】特開平５−４５３３２号公報
【発明の開示】
【発明が解決しようとする課題】
【０００３】
ところで、上記核酸の染色には通常エチジウムブロマイドが使用されるが、このエチジウムブロマイドは発ガン性を有しているため、エチジウムブロマイドによって染色されたゲルは、高温処理する必要があり、一般的には専門業者に依頼してゲルを処理している。しかし、核酸などの分析をするたびにエチジウムブロマイドに染色されたゲルが作成されるため、その都度、専門業者に高温処理の依頼をするのはコストや手間がかかるという問題があった。そこで、本発明は、効率的にゲル内の染色剤を処理することができる染色剤処理装置及び染色剤処理方法を提供することを課題とする。
【課題を解決するための手段】
【０００４】
本発明に係る染色剤処理装置は、上記課題を解決するためになされたものであり、染色剤により染色された板状のゲル内の染色剤を処理する装置であって、ゲル及びバッファ液を収容するバッファ容器、及びゲルの一方面側及び他方面側に設置されてゲルの厚さ方向に電圧を印加する電極、を有する第１の処理ユニットと、前記第１の処理ユニットの下流に設置され、前記第１の処理ユニットから供給されたバッファ液中の染色剤を吸着する活性炭を有する第２の処理ユニットと、を備えている。
【０００５】
上記発明によれば、第１の処理ユニットにおいて、ゲルの両面に電極が設置されているため、ゲルに電圧を印加することによりゲル内の染色剤を電極の方向へ移動させて最終的にゲル内からバッファ液へと排出することができる。また、この電極はゲルの一方面及び他方面に配置されているため、ゲルの厚さ方向に電圧を印加することができるが、板状のゲルは厚さ方向の寸法が一番短い。このため、ゲル内の染色剤が移動する距離が短く、ひいては短時間で染色剤をゲルの外部へと排出することができる。そして、第１の処理ユニットの下流に設置された第２の処理ユニットは活性炭を有しているため、上記第１の処理ユニットでゲルから排出された染色剤を含むバッファ液を第２の処理ユニットへと供給することによって、バッファ液中の染色剤を活性炭に吸着させることができる。この活性炭は、一つで複数のゲルの染色剤を吸着させることができるため、複数のゲルを高温処理するところを一つの活性炭のみ高温処理すればよくなり、効率的な染色剤の処理が可能となる。なお、上記染色剤としては、一般的にエチジウムブロマイドが使用されるが、銀染色、アクリジンオレンジなどであってもよい。
【０００６】
上記染色剤処理装置は、種々の構成をとることができるが、例えば、第２の処理ユニットの下流に設置され、前記第２の処理ユニットから供給されたバッファ液を貯留する貯留容器と、前記貯留容器内のバッファ液に紫外線を照射する紫外線照射装置と、を有する第３の処理ユニットをさらに備えていることが好ましい。この構成によれば、第２の処理ユニットで活性炭にエチジウムブロマイドを吸着させたバッファ液を貯留容器に貯留し、これに紫外線照射装置によって紫外線を照射することができる。染色剤としてエチジウムブロマイドを使用した場合、エチジウムブロマイドは紫外線が照射されることによって蛍光を発するため、バッファ液中にエチジウムブロマイドが残存していれば、これを検出することができる。
【０００７】
また、第３の処理ユニットは、貯留容器内のバッファ液を再度第２の処理ユニットの吸着容器内へと供給する循環手段をさらに有していることが好ましい。この構成によれば、紫外線照射装置によって紫外線を照射してバッファ液中に残存しているエチジウムブロマイドを検出した場合に、再度第２の処理ユニットの活性炭によってバッファ液中のエチジウムブロマイドを吸着して、バッファ液中から完全にエチジウムブロマイドを取り除くことができる。
【０００８】
また、上記第２の処理ユニットは、底面に排出口が形成され、排出口を覆うように活性炭が内部に収容された吸着容器をさらに有していることが好ましい。この構成によれば、第１の処理ユニットから供給されたバッファ液を吸着容器内に貯留させて一定時間保持することで、バッファ液内の染色剤を活性炭に確実に吸着させることができる。また、吸着容器の底面に形成された排出口を覆うように活性炭が配置されているため、排出口から排出されるバッファ液を確実に活性炭に通過させることができる。
【０００９】
また、上述したように第２の処理ユニットが吸着容器をさらに有している場合は、容器内に供給されたバッファ液を攪拌するための攪拌器をさらに有していることが好ましい。攪拌器でバッファ液を攪拌することによって、バッファ液が活性炭に接触する機会を増やし短時間で染色剤を活性炭に吸着させることができる。
【００１０】
また、上記第２の処理ユニットは、上述したように吸着容器をさらに有するのではなく、筒状の吸着部材をさらに有しており、活性炭が吸着部材の内部に充填されているような構成とすることもできる。この場合は、第１の処理ユニットから供給されたバッファ液が吸着部材内を流れる間に、活性炭によってバッファ液中の染色剤を吸着することができる。
【００１１】
また、上記第１の処理ユニットは、バッファ容器内に設置されるとともにゲルを支持する支持部材をさらに有しており、支持部材の少なくとも一部は、バッファ容器外まで延びているように構成することができる。これによれば、第１の処理ユニットで処理が完了したゲルをバッファ容器から支持部材を用いて取り出すことができる。
【００１２】
また、本発明に係る染色剤処理方法は、上記課題を解決するためになされたものであり、染色剤により染色された板状のゲル内の染色剤を処理する方法であって、ゲルをバッファ液に浸漬させてゲルの厚さ方向に電圧を印加する工程と、前記電圧の印加によりゲル内から排出された染色剤を含むバッファ液を活性炭に接触させて前記活性炭に染色剤を吸着させる工程と、を含んでいる。
【００１３】
この方法によれば、ゲルに電圧を印加することにより、ゲル内の染色剤を電圧の印加方向へと移動させて最終的に染色剤をゲル内からバッファ液へと排出することができる。また、染色剤の移動距離が一番短くなるゲルの厚さ方向に電圧を印加するため、短時間で染色剤をゲル内から排出することができる。そして、このようにゲル内から排出された染色剤を含んだバッファ液を活性炭に接触させることによってバッファ液中の染色剤を活性炭に吸着させることができる。この活性炭は、一つで複数のゲルの染色剤を吸着させることができるため、複数のゲルを高温処理するところを一つの活性炭のみ高温処理すればよくなり、効率的な染色剤の処理が可能となる。
【００１４】
上記方法は、種々の態様をとることができるが、例えば、上記活性炭と接触させて染色剤が吸着されたバッファ液に紫外線を照射してバッファ液中の染色剤を検出する工程をさらに含んでいることが好ましい。この方法によれば、染色剤としてエチジウムブロマイドを使用した場合に、エチジウムブロマイドは紫外線を照射することで蛍光を発するため、活性炭で濾過したバッファ液内にエチジウムブロマイドが残存している場合にこのエチジウムブロマイドを検出することができる。
【００１５】
また、上記染色剤を検出する工程により染色剤が検出された場合に、再度バッファ液を活性炭に接触させて活性炭に染色剤を吸着させる工程をさらに含んでいることが好ましい。この方法によれば、より確実にバッファ液内の染色剤を除去することができる。
【発明の効果】
【００１６】
本発明によれば、より効率的にゲル内の染色剤を処理することができる染色剤処理装置及び染色剤処理方法を提供することができる。
【発明を実施するための最良の形態】
【００１７】
以下、本発明に係る染色剤処理装置及び染色剤処理方法の実施形態について図面を参照しつつ説明する。図１は染色剤処理装置の全体を示す正面断面図、図２はゲルと電極との位置関係の詳細を示す斜視図である。
【００１８】
図１に示すように、本実施形態に係る染色剤処理装置１０は、染色したゲル内の染色剤を処理するための装置であって、第１の処理ユニット１と第２の処理ユニット２と第３の処理ユニット３とを備えている。以下、各処理ユニットの詳細について説明する。なお、以下、染色剤としてエチジウムブロマイドを例に挙げて説明するが、銀染色、アクリジンオレンジなどの場合も同様の装置、方法で処理することができる。
【００１９】
第１の処理ユニット１は、上端面が開口した直方体状のバッファ容器１１を備えている。バッファ容器１１の底面には、開閉弁１２により開閉可能な排出口１３が形成されている。そして、容器１１の底面に沿って陽極１４が設置されており、この陽極１４上にゲルＧが配置され、さらにそのゲルＧの上に陰極１５が設置されている。なお、ゲルＧ及び陰極１５は、メッシュ状の支持部材１６内に収容されており、支持部材１６を持ち上げることでゲルＧをバッファ容器１１内から取り出すことができる。なお、図２に示すよう、ゲルＧと各電極１４，１５との配置の詳細は、板状のゲルＧを水平に配置し、このゲルＧの下面に陽極１４を、上面に陰極１５を配置しているため、ゲルＧの厚さ方向に電圧を印加することができる。この陽極１４と陰極１５の配置はこの逆であっても良い。そして、バッファ容器１１内にはバッファ液Ｗが満たされており、ゲルＧ、陽極１４，及び陰極１５がバッファ液Ｗ内に浸かった状態となっている。なお、このバッファ液Ｗとしては、例えばトリスバッファー、酢酸バッファー、リン酸バッファーなどを使用することができる。
【００２０】
第１の処理ユニット１の下方には、第２の処理ユニット２が設置されている。第２の処理ユニット２は、上端面が開口した直方体状の吸着容器２１を備えている。この吸着容器２１の上にバッファ容器１１が積層されることによって、吸着容器２１の開口した上端面がバッファ容器１１の底部によって閉鎖されている。また、吸着容器２１は、開閉弁２２により開閉可能な排出口２３が底面に形成されており、側面の上方には後述する第３の処理ユニット３の循環口３５と連絡する供給口２４が形成されている。このように構成された吸着容器２１内には、活性炭２５が収納されており、吸着容器２１の底面に形成された排出口２３は活性炭２５によって覆われている。なお、この活性炭２５は、公知のものを使用することができ、好ましくは、粒状の活性炭がメッシュ状の袋内に詰められたものを使用することができる。
【００２１】
第２の処理ユニット２の下方には第３の処理ユニット３が設置されている。第３の処理ユニット３は、上端面が開口した直方体状の貯留容器３１を備えている。この貯留容器３１の上に第２の処理ユニット２の吸着容器２１が積層されることによって、この貯留容器３１の開口した上端面が吸着容器２１の底部によって閉鎖されている。貯留容器３１の底面には、開閉弁３２により開閉可能な排出口３３が形成されているとともに、開閉弁３４により開閉可能な循環口３５が形成されている。この循環口３５と、上述した吸着容器２１の供給口２４とを連絡するために、循環ポンプ３８を有する循環用配管３６が循環口３５及び供給口２４に接続されている。また、貯留容器３１内に供給されたバッファ液Ｗに紫外線を照射するための紫外線照射装置３７が、貯留容器３１の天井面（吸着容器２１の底部）に設置されている。なお、この紫外線照射装置３７は、貯留容器３１内に供給されたバッファ液Ｗを照射することができれば、貯留容器３１内に設置されている必要はなく、貯留容器３１の外部に設置することもできる。
【００２２】
次に上述した染色剤処理装置１０を使用した、ゲル内の染色剤の処理方法について説明する。
【００２３】
まず、エチジウムブロマイドにより染色されたゲルＧを第１の処理ユニット１にセットする。より詳細には、第１の処理ユニット１におけるバッファ容器２１の底面に陽極１４を設置する。そして、支持部材１６内にゲルＧを配置するとともに陰極１５をゲルＧ上に配置し、その状態で支持部材１６をバッファ容器１１内の陽極１４上に設置する。そして、バッファ液Ｗをバッファ容器１１内に流し込み、バッファ液Ｗ内に陽極１４、ゲルＧ、及び陰極１５を浸すような状態とする。なお、バッファ液Ｗをバッファ容器１１内に流し込んだ後に、陽極１４，陰極１５及びゲルＧをバッファ液Ｗ内に配置してもよい。
【００２４】
以上のように第１の処理ユニット１をセットした後、陽極１４と陰極１５との間でゲルＧの厚さ方向に電圧を印加する。このゲルＧへの電圧の印加時間は、ゲルＧの大きさや使用したエチジウムブロマイドの量によっても異なるが、通常、５０〜１００Ｖの電圧を５〜２０分程度印加する。このように電圧を印加することでゲルＧ内のエチジウムブロマイドが電圧の印加方向、すなわち、ゲルＧの厚さ方向に移動し、最終的にゲルＧ内からバッファ液Ｗへとエチジウムブロマイドが排出される。そして、ゲルＧ内のエチジウムブロマイドがゲルＧ内からバッファ液Ｗへと排出されると電圧の印加を停止させる。そして、開閉弁１２を開いてバッファ容器１１の排水口１３を開く。
【００２５】
第１の処理ユニット１のバッファ容器１１の排出口１３から排出されたバッファ液Ｗは、第２の処理ユニット２の吸着容器２１内へと流れ込む。このように吸着容器２１内に流れ込んだバッファ液Ｗを、吸着容器２１内において約１〜７２時間程度、より好ましくは約１〜２４時間程度保持することにより、活性炭２５にバッファ液Ｗ中のエチジウムブロマイドを吸着させる。そして、吸着容器２１の開閉弁２２を開いて排出口２３から第３の処理ユニット３の貯留容器３１へとバッファ液Ｗを流す。このとき、吸着容器２１の排出口２３は活性炭２５によって覆われているので、活性炭２５を通過したバッファ液Ｗが貯留容器３１へと流れ込むようになっている。
【００２６】
第３の処理ユニット３の貯留容器３１においては、紫外線照射装置３７によってバッファ液Ｗに紫外線を照射する。バッファ液W中にエチジウムブロマイドが残存していればエチジウムブロマイドが蛍光を発するため、貯留容器３１内のバッファ液Ｗ中に残存しているエチジウムブロマイドを目視にて検出することができる。そして、バッファ液Ｗ中にエチジウムブロマイドが残存していないことが確認されると、開閉弁３２を開いてバッファ液Ｗを貯留容器３１の排出口３３からバッファ液Ｗを外部へと排出する。もし、紫外線を照射した際にバッファ液Ｗ中にエチジウムブロマイドが検出されれば、開閉弁３４を開いて循環口３５からバッファ液Ｗを排出する。そして、循環ポンプ３８を駆動させてバッファ液Ｗを第２の処理ユニット２の吸着容器２１内へと循環用配管３６を介して供給し、再度バッファ液Ｗを吸着容器２１内で所定時間保持してバッファ液Ｗ中のエチジウムブロマイドを活性炭２５に吸着させる。そして、再度第３の処理ユニット３へとバッファ液Ｗを供給し、紫外線照射装置３７で紫外線をバッファ液Ｗに照射し、エチジウムブロマイドが検出されければ、開閉弁３２を開いて排出口３３から外部へとバッファ液Ｗを排出する。
【００２７】
以上の方法で複数のゲルGを処理すると活性炭２５の吸着力が低下するが、この場合は、第１の処理ユニット１を持ち上げて、吸着容器２１の開口した上端面から使用済みの活性炭２５を取り除き、新たな活性炭２５を吸着容器２１内にセットする。そして、エチジウムブロマイドが吸着された使用済みの活性炭２５は、専門業者に依頼するなどして高温処理をする。
【００２８】
以上説明したように、本実施形態によれば、エチジウムブロマイドに染色されたゲルＧが発生する度に高温処理をするのではなく、複数のゲルＧからエチジウムブロマイドを吸着した活性炭２５のみを高温処理すればよいため、エチジウムブロマイドに染色されたゲルＧの処理に掛かる費用や手間を軽減することができる。
【００２９】
以上、本発明の実施形態について説明したが、本発明はこれらに限定されるものではなく、本発明の趣旨を逸脱しない限りにおいて種々の変更が可能である。例えば、図３に示すように、上記吸着容器２１内に、第１の処理ユニット１から供給されたバッファ液Ｗを撹拌するための撹拌機２６を設置することもできる。この撹拌機２６によってバッファ液Ｗを攪拌することによってバッファ液中のエチジウムブロマイドをより短時間で活性炭に吸着させることができる。なお、撹拌機以外にも、吸着容器２１内に供給されたバッファ液Ｗ内に対流を発生させることができる各種対流手段を第２の処理ユニット２がさらに有していてもよい。
【００３０】
また、第１〜第３の処理ユニットは、一体的に形成してもよいし、別体として形成してもよい。別体として形成する場合は、上記実施形態のように上端面が開口した吸着容器２１を用いるだけでなく、上端面も閉鎖された吸着容器２１を用いることもできる。なお、この場合は、エチジウムブロマイドを吸着して機能が低下した活性炭２５を取り出せるように、上端面や側面に開口可能な部分を設けておくことが好ましい。また同様に、貯留容器３１の上端面を閉鎖することもできる。これらのように吸着容器２１や貯留容器３１の上端面を閉鎖させた場合は、上流側ユニットの排出口１３，２３と連絡してバッファ液を受け入れるための供給口を上端面や側面に形成しておくことが好ましい。
【００３１】
また、第２の処理ユニット２において、バッファ液Ｗ中のエチジウムブロマイドが十分に活性炭２５によって吸着されるのであれば、第３の処理ユニット３を省略することができる。
【００３２】
また、上記実施形態では、第１の処理ユニット１において、ゲルGを水平に配置しているが、電圧がゲルGの厚さ方向に印加されるのであれば、ゲルGをどのように配置してもよく、例えばゲルGを垂直に配置してもよい。このときは、陽極１４及び陰極１５もゲルGを挟持するように垂直に配置する。
【００３３】
また、図４に示すように、第２の処理ユニット２を筒状の吸着部材２１’とし、この吸着部材２１’内に活性炭２５を収容することができる。この場合は、第１の処理ユニット１から供給されたバッファ液Ｗを吸着部材２１’で保持するのではなく、バッファ液Ｗを吸着部材２１’に流すだけで、バッファ液内のエチジウムブロマイドを吸着させることができる。この場合は、エチジウムブロマイドを吸着して機能が低下した活性炭２５を取り換え可能とするために、上部か下部が取り外せるように構成されていることが好ましい。また、第３の処理ユニット３が設置される場合は、上部側面に循環用配管３６が接続される供給口２４を形成することが好ましい。
【００３４】
また、上記実施形態では、第１の処理ユニットにおいて電圧の印加を停止した後に排水口１３を開いてバッファ液Ｗを第２の処理ユニット２に送っているが、例えば、以下のようにすることもできる。すなわち、図５に示すように、バッファ容器１１の底面に循環口１７をさらに形成する。なお、この循環口１７を開閉する開閉弁１８を設けることが好ましい。そして、吸着容器２１内がバッファ液Ｗで満たされるとともに、バッファ容器１１内には陽極１４，ゲルＧ，及び陰極１５が浸かるようにバッファ液Ｗが満たされている。そして、開閉弁１２及び１８を開状態として、陽極１４と陰極１５との間でゲルＧの厚さ方向に電圧を印加しながら、バッファ液Ｗをバッファ容器１１と吸着容器２１との間で循環させる。なお、図示していないがバッファ液を効率的に循環させるために撹拌機を設置しておくことが好ましい。このように電圧を印加しながらバッファ液Ｗを循環させることで、バッファ容器１１においてゲルＧからエチジウムブロマイドがバッファ液Ｗへ排出されてこのバッファ液Ｗが排出口１３から吸着容器２１へと送られ、吸着容器２１内においてバッファ液Ｗ中のエチジウムブロマイドが活性炭２５に吸着されて循環口１７からバッファ容器１１へと戻る。これを繰り返すことでゲルＧ内のエチジウムブロマイドを活性炭２５に吸着させることができる。
【００３５】
また、上記実施形態では、第３の処理ユニット３においてバッファ液Ｗ中に残存するエチジウムブロマイドを目視にて検出していたが、これを検出器により自動的に検出することもできる。例えば、図６に示すように、紫外線照射装置３７と対向する位置に受光器３９を設置する。この紫外線照射装置３７と受光器３９との設置場所は特に限定されるものではないが、図６に示すように受光器３９を貯留容器３１の底面外部に設置する場合は、エチジウムブロマイドが発する蛍光が検知できるよう、貯留容器３１の底面を透明の材質で構成することが好ましい。また、受光器３９を貯留容器３１の底面内部に設置することもできるし、その他にも、例えば循環用配管３６を透明の材質で構成し、この循環用配管３６を介在させて紫外線照射装置３７と受光器３６とを設置してもよい。以上のように設置された受光器３９にてエチジウムブロマイドが発する蛍光を検出すると、バッファ液Ｗ中にエチジウムブロマイドが残存しているとして信号を制御装置４０に送り、制御装置４０によって開閉弁３４を開状態とするとともに循環ポンプ３８を駆動させてバッファ液Ｗを再度第２の処理ユニット２に戻すように循環させることができる。
【図面の簡単な説明】
【００３６】
【図１】本発明に係る染色剤処理装置の実施形態を示す正面断面図である。
【図２】本実施形態に係るゲル、陽極、及び陰極の配置関係の詳細を示す斜視図である。
【図３】本発明に係る染色剤処理装置の他の実施形態を示す正面断面図である。
【図４】本発明に係る染色剤処理装置のさらに他の実施形態を示す正面断面図である。
【図５】本発明に係る染色剤処理装置のさらに他の実施形態を示す正面断面図である。
【図６】本発明に係る染色剤処理装置のさらに他の実施形態を示す正面断面図である。
【符号の説明】
【００３７】
１  第１の処理ユニット
１１  バッファ容器
１４  陽極
１５  陰極
１６  支持部材
２  第２の処理ユニット
２１  吸着容器
２５  活性炭
２６  撹拌機
３  第３の処理ユニット
３１  貯留容器
３６  循環用配管（循環手段）
３８  循環ポンプ（循環手段）
【図２】
2010019722.tif 000003
【図１】
2010019722.tif 000004
【図３】
2010019722.tif 000005
【図４】
2010019722.tif 000006
【図５】
2010019722.tif 000007
【図６】
2010019722.tif 000008